(57)【要約】【課題】利用者の必要な場所に容易に吊り輪を設置したり、移動させたりして、簡便に利用でき、汎用性、取扱い性に優れ、建造物の壁，梁，桁，柱等を利用する必要がなく、大掛かりな工事や改造が不要で、建造物自体に十分な強度がない仮設トイレや改造が不可能な賃貸住宅などのトイレや風呂場等にも簡便に設置できると共に、不要になった際には簡便に撤去でき、組立て、分解作業が容易で、汎用性、施工性、設置自在性に優れる移動式立ち上がり補助具の提供。【解決手段】床面に載置される基部と、基部に立設された２本の脚部と、各々の脚部の上端部に連設された吊り輪吊設部と、２本の吊り輪吊設部の間を繋ぐ水平横行部と、水平横行部に上端部が挿通又は掛止された２本の吊下部と、各々の吊下部の下端部側に配設され懸下された複数の吊り輪と、複数の吊り輪の間に屈曲自在に取り付けられ吊り輪同士を順次連結する連結部と、を備えている。【選択図】図１
0003136449.tif 000002
【実用新案登録請求の範囲】
【請求項１】
床面に載置される基部と、前記基部に立設された２本の脚部と、各々の前記脚部の上端部に連設された吊り輪吊設部と、２本の前記吊り輪吊設部の間を繋ぐ水平横行部と、前記水平横行部に上端部が挿通又は掛止された２本の吊下部と、各々の前記吊下部の下端部側に配設され懸下された複数の吊り輪と、前記複数の吊り輪の間に屈曲自在に取り付けられ前記吊り輪同士を順次連結する連結部と、を備えたことを特徴とする移動式立ち上がり補助具。
【請求項２】
前記脚部が、前記基部に立設された円筒状の垂直ガイド軸と、前記垂直ガイド軸に高さ調整自在に内挿された摺動軸と、を有し、前記吊り輪吊設部が、前記摺動軸の上端部に連設されていることを特徴とする請求項１に記載の移動式立ち上がり補助具。
【請求項３】
前記基部が、各々の前記垂直ガイド軸が立設された左右の支持部と、前記左右の支持部の間を着脱自在に連結する基部連結部と、を備えたことを特徴とする請求項２に記載の移動式立ち上がり補助具。
【請求項４】
前記基部と前記脚部の間を連結する手摺部を備えたことを特徴とする請求項１乃至３の内いずれか１項に記載の移動式立ち上がり補助具。
【請求項５】
前記吊り輪吊設部が、前記摺動軸の上端部から前方に延設された延設部と、前記延設部に摺動自在に配設された摺動部と、を有し、前記水平横行部が、２本の前記摺動部の間に配設されていることを特徴とする請求項１乃至４の内いずれか１項に記載の移動式立ち上がり補助具。
【考案の詳細な説明】
【技術分野】
【０００１】
本考案は、体力の弱い病人や高齢者等が浴室やトイレ等の衛生設備を含むサニタリールームやベッド、車椅子等を使用する際に、その移動や立ち上がり等の動作において介助のための確実な支持点を提供することのできる移動式立ち上がり補助具に関する。
【背景技術】
【０００２】
近年における高齢化社会の到来に伴って家庭内や病院、老人介護施設等における高齢者や病人の動作を補助するために浴室やトイレ等のサニタリールームに手摺等の立ち上がり補助具を設けることが義務付けられる等、その安全性を確保するような対策が講じられている。
本出願人が出願し特許された（特許文献１）には、「壁間に架設される水平横行部材と、水平横行部材に上端部が挿通又は掛止された吊下部と、吊下部の下端部側に連結部を介して連結された１以上の吊り輪を備えたことを特徴とする立ち上がり補助具。」が開示されている。
（特許文献１）は、壁間に架設される水平横行部材と、水平横行部材に上端部が挿通又は掛止された２本の吊下部と、吊下部の下端部側に配設され懸下された複数の吊り輪と、吊り輪と吊り輪との間に屈曲自在に取り付けられ吊り輪を順次連結する連結部と、を備えることにより、腕を曲げて腕力だけで体を持ち上げなくても、吊り輪にすがって腕を伸ばしたまま反動をつけながら左右交互に上側の吊り輪を掴み直すことで、体を持ち上げ体を浮かせることができ、また体を浮かせた後は両手で吊り輪を掴んだまま足を軸にして体を回転させながら体重を移動させて便座やベッド等と車椅子との間で容易に体を移すことができ、腕力の乏しい障害者等であっても、一人で立ち上がったり座ったりすることができるので、介助者の助けを借りなくても一人で進んでトイレや浴室等に行くことができ、障害者等のプライバシーを守ることができるとともに自立心を養い、さらに介助者の付き添いの必要がなくなり、又、付き添ったとしても最低限の介助で済むため介助者の負担を著しく軽減することができ、また体が回転し難く安定した姿勢を維持でき床等に転倒し難く、吊り輪にすがれば地震の激しい揺れにも耐えることができ、体が跳ね飛ばされるのを防ぎ安定性と安全性に優れ、また吊り輪を握るだけの握力がない場合でも、複数箇所で腕等を支持することができ安定した姿勢を保持させることができ安全性と利便性に優れ、さらに堅牢で機械的強度が高く信頼性に優れるものであった。
しかしながら、吊り輪を懸下するための吊下部を壁間に架設される水平横行部材に挿通又は掛止する構造であるため、水平横行部材を架設する壁に強度が要求されると共に、壁の位置によって水平横行部材の取り付け方向が限定されてしまうため、トイレや風呂場等の構造或いは便器や浴槽、ベッド等の配置によっては、立ち上がり補助具を取り付けることができず、汎用性に欠けるという課題を有していた。
そこで、本願出願人は鋭意検討を行い（特許文献２）を出願した。
（特許文献２）には、「壁間，梁間，桁間，柱間のいずれかに架設される２本の水平架設部材と、２本の水平架設部材の各々に上端部が挿通又は掛止された吊下部と、各々の吊下部の下端部側に配設され懸下された複数の吊り輪と、吊り輪と吊り輪との間に屈曲自在に取り付けられ吊り輪を順次連結する連結部と、を備えたことを特徴とする立ち上がり補助具。」が開示されている。
【特許文献１】特許第３７６６６０４号公報
【特許文献２】実用新案登録第３１２１９７８号公報
【考案の開示】
【考案が解決しようとする課題】
【０００３】
（１）（特許文献２）の立ち上がり補助具は、前記の課題を解決するものであり、建造物の壁以外に梁，桁，柱等を利用することにより、トイレや風呂場等の各種設置場所の構造の違い或いは便器や浴槽、ベッド等の各種設備の配置の違い等によらず、利用者のすぐ手の届く範囲に吊り輪を簡便かつ確実強固に設置でき、建築物の構造的な制約を受けることがなく、設置自在性に優れ、手先や肩等の動きが不自由な障害者、腕の力や足腰が弱い高齢者や病弱者等を安全かつ確実に支持することのできる立ち上がり補助具であったが、建造物の壁，梁，桁，柱等を利用して取り付けるため、取り付け作業が煩雑で組立作業性に欠けると共に、仮設トイレなどのように建造物自体に十分な強度がない場合や賃貸住宅などの場合には立ち上がり補助具を取り付けることができず、汎用性に欠けるという課題を有していた。
（２）また、一時的な病気や怪我などのために短期間、立ち上がり補助具を使用したい場合でも、建造物の壁，梁，桁，柱等に対する改造が必要であり、立ち上がり補助具が不要になった際に、立ち上がり補助具を取り外すことが困難で施工性に欠けると共に、例え、立ち上がり補助具を取り外すことができたとしても、建造物の壁，梁，桁，柱等に孔があいてしまい、補修が困難で、使用性に欠けるという課題を有していた。
【０００４】
本考案は上記の要望に応えるもので、利用者の必要な場所に容易に吊り輪を設置したり、移動させたりして、簡便に利用することができ、汎用性、取扱い性に優れ、また、建造物の壁，梁，桁，柱等を利用する必要がなく、大掛かりな工事や改造が不要で、建造物自体に十分な強度がない仮設トイレや改造が不可能な賃貸住宅などのトイレや風呂場等にも簡便に設置することができると共に、不要になった際には簡便に撤去することができ、組立て、分解作業が容易で、汎用性、施工性、設置自在性に優れる移動式立ち上がり補助具の提供を目的とする。
【課題を解決するための手段】
【０００５】
上記課題を解決するために本考案の移動式立ち上がり補助具は、以下の構成を有している。
本考案の請求項１に記載の移動式立ち上がり補助具は、床面に載置される基部と、前記基部に立設された２本の脚部と、各々の前記脚部の上端部に連設された吊り輪吊設部と、２本の前記吊り輪吊設部の間を繋ぐ水平横行部と、前記水平横行部に上端部が挿通又は掛止された２本の吊下部と、各々の前記吊下部の下端部側に配設され懸下された複数の吊り輪と、前記複数の吊り輪の間に屈曲自在に取り付けられ前記吊り輪同士を順次連結する連結部と、を備えた構成を有している。
この構成により、以下のような作用を有する。
（１）吊り輪を懸下するための吊下部が挿通又は掛止される水平横行部が、吊り輪吊設部を介して連設された脚部及び基部によって支持されて床面に載置されるので、建造物の壁，梁，桁，柱等を利用する必要がなく、大掛かりな工事や改造が不要で、建造物自体に十分な強度がない仮設トイレや改造が不可能な賃貸住宅などのトイレや風呂場等にも簡便に設置することができ、設置自在性、施工性、汎用性に優れる。
（２）構造が簡単で建築物と独立して組み立てることができるので、トイレ，浴室，寝室等の利用者の必要な場所に容易に吊り輪を設置したり、移動させたりして、簡便に利用することができ、しかも不要になった際には簡便に分解したり、移動させたりして撤去することができ、メンテナンス性、取り扱い性に優れる。
（３）水平横行部に吊り輪を懸下するための２本の吊下部が挿通又は掛止され、吊下部及び連結部を介して複数の吊り輪を連結させ懸下させているので、とっさの場合でも手元近くに配置された吊り輪を容易に握ることができ、安全性に優れる。
（４）複数の吊り輪を連結部を介して互いに屈曲自在に連結させて懸下させているので、手先が不自由な人や重度の病人であっても吊り輪を握って、また握力がないときは吊り輪を握ることなく、互いに屈曲された複数の吊り輪に腕や肘、肩等を通すことにより容易にバランスを取って安定した姿勢を保持することができ、安全性と利便性に優れる。
（５）２本の吊下部を人間の肩幅程度の間隔で配置することにより、手足の弱った人でも身体の左右両側の吊り輪にすがって容易に立ち上がったり、座ったりすることができ、利用者を安全に介助することができる。
（６）設置場所の構造や広さなどに応じて各部の寸法、形状を選択することができ、設置自在性、形状自在性、組み立て作業性に優れる。
【０００６】
ここで、基部，脚部，吊り輪吊設部，水平横行部としては、丸パイプ状や角パイプ状等の軽量な中空部材が好適に用いられる。また、材質には鉄やステンレス等の金属やポリスチレンやポリアミド、ポリエステル等の合成樹脂等が好適に用いられる。
基部は脚部を支持する支持部を備えていればよく、コ字型、ロ字型、Ｈ字型などの形状に形成することができる。
基部と脚部の間や脚部と吊り輪吊設部との間は、適宜、筋交いなどの補強部材によって補強することができる。
各部は一体に形成してもよいし、別々の部材をねじ止め、溶着、溶接等の手段で互いに固定して形成してもよい。
基部には、ロック機構付きのキャスターを配設してもよい。組み立てられた状態で簡便に設置場所を移動させることができると共に、所望の場所に確実に固定して利用することができ、搬送性、固定安定性に優れる。また、基部を床面に固定する基部固定部を設けてもよい。基部固定部としては、基部の少なくとも一部をねじ止めなどにより床面に固定するものや基部上に重錘を載置して固定するもの、基部底部にゴム板などの滑り止めを敷設して固定するものなどがある。これにより、使用時に移動式立ち上がり補助具が移動したり前方に傾いたりすること防止でき、安全性に優れる。
【０００７】
吊下部としては、可撓性、柔軟性を有する合成樹脂や皮革等でベルト状や紐状に形成したものや、合成樹脂や金属で鎖状に形成したものが好適に用いられる。これにより、利用者が容易に吊り輪の位置を移動させることができ、吊下部を傾けたり、屈曲させたりして簡便に体重移動を行うことができる。吊下部は全体或いは上端部のみを環状に形成して水平横行部に挿通又は掛止させることができる。
吊り輪は、利用者の腕や肩等が入る大きさに円形又は三角形状、四角形状、その他の多角形状等に形成することができ、鉄やステンレス等の金属製やポリスチレンやポリアミド、ポリエステル等の合成樹脂製のものが好適に用いられる。
連結部としては、屈曲自在なものであればよいが、合成樹脂や皮革等で形成されたものが好適に用いられる。
【０００８】
水平横行部の上面側に突起を形成し、吊り輪を懸下させる吊下部の上端部に形成した掛止孔を突起に掛止して固定するようにしてもよい。これにより、利用者の体重等が吊り輪に付加された状態では吊下部が外れるようなことがなく、利用者の姿勢を安定に維持して、立ち上がり動作や体重移動などを安全に行うことができる。
水平横行部の上面に形成する突起は、水平横行部の上面側に突出して配置されたボルトや釘等の上部で形成したり、合成樹脂製や金属製の頭部を有した部材を水平横行部に埋め込み、溶着、溶接等の手段により固定して形成したりできる。
突起に嵌合される吊下部の掛止孔は、ベルト状等に形成された吊下部の上端部にパンチやドリル等の穿孔具を用いて形成することができる。
尚、掛止孔を掛止させるための突起を水平横行部の上面側に複数設け、必要に応じて、吊下部の取り付け位置を変更して用いることにより、その汎用性をさらに高めることができる。
【０００９】
２本の吊下部の各々に複数の吊り輪が順次縦方向に懸下されているので、例えば、吊り輪をトイレの便座を挟んだ両側に吊り下げた場合、障害者や高齢者等が車椅子で便座に近づいた後、両手を上げて両手で下側の吊り輪を握ることができ、腕を曲げて腕力だけで体を持ち上げなくても、吊り輪にすがって腕を伸ばしたまま反動をつけながら左右交互に上側の吊り輪を掴み直すことで、体を持ち上げ車椅子から体を浮かせることができる。体重が吊り輪で支持されるので、両手で吊り輪を掴んだまま足を車椅子から床に下ろすことができ、足を軸にして体を回転させながら体重を移動させて、便座の上方に容易に体を移すことができる。さらに、上側の吊り輪から下側の吊り輪を左右交互に順次掴み直すことで体を下ろし、自力で便座に腰掛けることができる。また、排泄後は逆の動作を行うことで、自力で便座から車椅子へ移動することができる。
【００１０】
請求項２に記載の発明は、請求項１に記載の移動式立ち上がり補助具であって、前記脚部が、前記基部に立設された円筒状の垂直ガイド軸と、前記垂直ガイド軸に高さ調整自在に内挿された摺動軸と、を有し、前記吊り輪吊設部が、前記摺動軸の上端部に連設されている構成を有している。
この構成により、請求項１の作用に加え、以下のような作用を有する。
（１）脚部が、基部に立設された円筒状の垂直ガイド軸と、垂直ガイド軸に高さ調整自在に内挿された摺動軸と、を有するので、垂直ガイド軸に対して摺動軸を上下方向に摺動させることによって脚部の長さを調整して吊り輪の取り付け高さを選択することができ、汎用性に優れる。
（２）水平横行部で繋がれた２本の吊り輪吊設部が、各々の摺動軸の上端部に連設されているので、２本の摺動軸を同時に上下動させることができ、水平横行部が傾くことがなく、高さ調整作業を簡便かつ確実に行うことができ、施工性に優れる。
【００１１】
ここで、摺動軸、吊り輪吊設部、水平横行部は一体に形成されたものが好適に用いられる。水平横行部に利用者の体重がかかっても変形し難く、耐久性に優れると共に、基部や垂直ガイド軸と分割して容易に持ち運ぶことができ、組立作業性、取り扱い性に優れるためである。尚、左右の摺動軸の間や摺動軸と吊り輪吊設部との間を適宜、補強部材で連結することにより、剛性を向上させて変形や破損を防止することができる。
垂直ガイド軸と摺動軸は、ねじ止めやピン嵌合などの固定手段により、固定することができる。
【００１２】
請求項３に記載の発明は、請求項２に記載の移動式立ち上がり補助具であって、前記基部が、各々の前記垂直ガイド軸が立設された左右の支持部と、前記左右の支持部の間を着脱自在に連結する基部連結部と、を備えた構成を有している。
この構成により、請求項２の作用に加え、以下のような作用を有する。
（１）基部が、各々の垂直ガイド軸が立設された左右の支持部と、左右の支持部の間を着脱自在に連結する基部連結部を有するので、基部連結部を着脱するだけで、簡便に基部を組立てたり、左右に分割したりすることができ、設置や撤去、運搬などの作業が容易で、施工性、取扱い性に優れる。
【００１３】
ここで、支持部と基部連結部の間は、ボルトとナットを用いたねじ止め式の固定手段により、着脱自在に固定することができる。左右の支持部を連結する基部連結部の長さを選択することにより、設置場所や利用者の体格などに応じて、左右の垂直ガイド軸の間隔を変更することができ、多様性、形状自在性に優れる。尚、支持部及び／又は基部連結部に基部固定部として固定孔を穿設しておけば、必要に応じて固定ボルトによって基部を床面に強固に固定することができ、使用時の移動式立ち上がり補助具の移動や傾きなどを確実に防止することができ、固定安定性を向上させることができる。
【００１４】
請求項４に記載の発明は、請求項１乃至３の内いずれか１項に記載の移動式立ち上がり補助具であって、前記基部と前記脚部の間を連結する手摺部を備えた構成を有している。
この構成により、請求項１乃至３の内いずれか１項の作用に加え、以下のような作用を有する。
（１）基部と脚部の間を連結する手摺部を有することにより、使用者が吊り輪を掴む前に手摺部を支えにして立ち上がったり、手を延ばしたりして、確実に吊り輪を掴むことができ、使用者の転倒を防止することができ、安全性、使用性に優れる。
（２）基部と脚部の間を連結する手摺部によって、脚部を補強することができ、脚部の傾きや変形などを防止することができ、堅牢性、耐久性に優れる。
【００１５】
ここで、手摺部としては、逆Ｌ字型に形成されたものが好適に用いられる。水平部分と垂直部分で基部と脚部の間が確実に連結されることにより、水平部分に加わる荷重を垂直部分で支えることができ、水平部分の変形を防止することができ、信頼性に優れる。
さらに、２本の垂直ガイド軸の間を着脱自在な水平補強部で連結してもよい。これにより、耐荷重を向上させて、脚部の傾きや変形などを防止することができ、堅牢性、耐久性を向上させることができる。垂直ガイド軸と水平補強部の間は、ボルトとナットを用いたねじ止め式の固定手段により、簡便に着脱自在に固定することができる。
【００１６】
請求項５に記載の発明は、請求項１乃至４の内いずれか１項に記載の移動式立ち上がり補助具であって、前記吊り輪吊設部が、前記摺動軸の上端部から前方に延設された延設部と、前記延設部に摺動自在に配設された摺動部と、を有し、前記水平横行部が、２本の前記摺動部の間に配設されている構成を有している。
この構成により、請求項１乃至４の内いずれか１項の作用に加え、以下のような作用を有する。
（１）吊り輪吊設部が、摺動軸の上端部から前方に延設された延設部と、延設部に摺動自在に配設された摺動部を有することにより、吊り輪吊設部を前後方向に伸縮させて水平横行部の位置を調整することができ、設置面積や設置場所に据え付けられている便器、浴槽、ベッド、机その他の物品の形状や配置などに応じて、吊り輪の前後方向の取付位置を簡便に変更することができ、汎用性、設計自在性に優れる。
ここで、吊り輪吊設部の延設部と摺動部は互いに摺動自在で伸縮可能な構造であればよいが、ピン嵌合やねじ止めなどの固定手段により固定するものが固定安定性に優れ、好ましい。
【考案の効果】
【００１７】
以上のように、本考案の移動式立ち上がり補助具によれば、以下のような有利な効果が得られる。
請求項１に記載の考案によれば、以下のような効果を有する。
（１）吊り輪を懸下するための吊下部が挿通又は掛止される水平横行部が、吊り輪吊設部を介して連設された脚部及び基部によって支持されて床面に載置されるので、建造物の壁，梁，桁，柱等を利用する必要がなく、大掛かりな工事や改造が不要で、建造物自体に十分な強度がない仮設トイレや改造が不可能な賃貸住宅などのトイレや風呂場等にも簡便に設置することができる設置自在性、施工性、汎用性に優れた移動式立ち上がり補助具を提供することができる。
（２）構造が簡単で建築物と独立して組み立てることができるので、トイレ，浴室，寝室等の利用者の必要な場所に容易に吊り輪を設置したり、移動させたりして、簡便に利用することができ、しかも不要になった際には簡便に分解したり、移動させたりして撤去することができ、リースが可能でメンテナンス性、取り扱い性に優れた移動式立ち上がり補助具を提供することができる。
【００１８】
請求項２に記載の考案によれば、請求項１の効果に加え、以下の効果を有する。
（１）脚部が垂直ガイド軸と摺動軸によって伸縮自在に形成されていることにより、簡便に脚部の長さを調整して吊り輪の取り付け高さを選択することができる汎用性、取り扱い性に優れた移動式立ち上がり補助具を提供することができる。
【００１９】
請求項３に記載の考案によれば、請求項２の効果に加え、以下の効果を有する。
（１）左右の支持部を連結する基部連結部を着脱するだけで、簡便に基部を組立てたり、左右に分割したりすることができ、設置や撤去、運搬などの作業が容易で、施工性、取扱い性に優れた移動式立ち上がり補助具を提供することができる。
【００２０】
請求項４に記載の考案によれば、請求項２又は３の効果に加え、以下の効果が得られる。
（１）基部と脚部の間が脚部の補強を兼ねた手摺部で連結されていることにより、使用者が手摺部を支えにして立ち上がったり、手を延ばしたりして、確実に吊り輪を掴むことができ、使用者の転倒を防止することができ、安全性、使用性に優れると共に、耐荷重を向上させることができ、脚部の傾きや変形などを防止することができる堅牢性、耐久性に優れた移動式立ち上がり補助具を提供することができる。
【００２１】
請求項５に記載の考案によれば、請求項１乃至４の内いずれか１項の効果に加え、以下の効果が得られる。
（１）吊り輪吊設部を伸縮させることにより、吊り輪の前後方向の取付位置を簡便に変更することができ、設置面積や設置場所に据え付けられている便器、浴槽、ベッド、机その他の物品の形状や配置などに対応することができる汎用性、設計自在性に優れた移動式立ち上がり補助具を提供することができる。
【考案を実施するための最良の形態】
【００２２】
（実施の形態１）
以下、本考案の実施の形態１における移動式立ち上がり補助具について、以下図面を参照しながら説明する。
図１は実施の形態１における移動式立ち上がり補助具の斜視図であり、図２は実施の形態１における移動式立ち上がり補助具の設置状態の正面図であり、図３は実施の形態１における移動式立ち上がり補助具の設置状態の側面図である。
図１乃至図３中、１は実施の形態１における移動式立ち上がり補助具、２は移動式立ち上がり補助具１の基部、２ａは基部２の左右の支持部、２ｂ，２ｂ’は左右の支持部２ａの間に固定ボルト７ａにより着脱自在に固定された前後二箇所の基部連結部、３は基部２の各々の支持部２ａに立設された円筒状の垂直ガイド軸３ａと垂直ガイド軸３ａに内挿された摺動軸３ｂを固定ボルト７ｂと固定ナット７ｃで固定して伸縮自在に形成された移動式立ち上がり補助具１の左右の脚部、３ｃは支持部２ａと垂直ガイド軸３ａの間を連結するＬ字型の脚部の補強を兼ねた手摺部、３ｄは左右の垂直ガイド軸３ａの間に配設され固定ボルト７ｄにより摺動軸３ｂと共に垂直ガイド軸３ａに着脱自在に連結された水平補強部、３ｅは左右の摺動軸３ｂの間を連結する摺動軸補強部、３ｆは各々の摺動軸３ｂの上端部から前方に延設された延設部３ｇと延設部３ｇに外挿された摺動部３ｈを固定ボルト７ｅで固定して移動式立ち上がり補助具１の前後方向に伸縮自在に形成された左右の吊り輪吊設部、３ｉは吊り輪吊設部３ｆの左右の摺動部３ｈの間を繋ぐ水平横行部、４は皮革や合成樹脂等で帯状等に形成され上端部が水平横行部３ｉの左右両側にそれぞれ掛止された２本の吊下部、５ａ，５ｂ，５ｃはポリエチレン，ポリプロピレン，ポリカーボネイト等の合成樹脂や金属等で円環状や三角形状に形成され各々の吊下部４の下端部側に配設され懸下された移動式立ち上がり補助具１の複数の吊り輪、６ａ，６ｂはそれぞれ皮革や合成樹脂等で帯状等に形成され吊り輪５ａ，５ｂ及び吊り輪５ｂ，５ｃの間に屈曲自在に取り付けられ吊り輪５ａ〜５ｃを順次連結する連結部、８は断面コ字型に形成された重錘を基部連結部２ｂ’を挟むように床面に載置し移動式立ち上がり補助具１の位置ずれや前方への傾倒を防止する基部固定部、８ａは支持部２ａの基部連結部２ｂ’側の端部に穿設され支持部２ａをねじ止めなどにより床面に固定するための基部固定孔、１０は移動式立ち上がり補助具１が設置されたトイレ（図２及び図３）、１１はトイレ１０の略中央部に配置された便器（図２及び図３）、１１ａはトイレ１０の水洗タンク（図２及び図３）である。
【００２３】
吊下部４はその両端部が環状に形成され、それぞれの環状部に水平横行部３ｉと吊り輪５ａが挿通されて両者が連結されている。
吊り輪５ａ〜５ｃのそれぞれの輪の大きさは同一にしてもよく、また、輪の大きさが異なるものを所定の配列で組み合わせて用いることもできる。尚、吊り輪５ａ〜５ｃの形状は円環状や三角形状以外に、楕円形状、四角形状等の全体が閉じた環状のものやＣ型状に環の一部が切断されたものを用いることができる。
連結部６ａ，６ｂは吊り輪５ａ〜５ｃを連結するための掛止具であり、皮製や合成樹脂製等の帯状素材で環状に形成して端部間をリベット等で止めたもの以外に、自在に回転できるスイベルジョイントを有した金属製のもの、チェーンや鎖などで形成したものあるいはこれらを組み合わせたもの等が適用できる。
【００２４】
基部２の支持部２ａは一辺が２５〜５０ｍｍ程度のスチール製角パイプで形成し、その他は直径が２０〜４５ｍｍ程度のスチール製丸パイプで形成した。
垂直ガイド軸３ａの内径は摺動軸３ｂの外径と同程度となるように選択し、摺動軸３ｂを垂直ガイド軸３ａに内挿して高さ調整自在な構造とした。また、延設部３ｇの外径は摺動部３ｈの内径と同程度となるように選択し、摺動部３ｈを延設部３ｇに外挿して長さ調整自在な構造とした。
基部連結部２ｂ，２ｂ’及び水平補強部３ｄの両端部にはナットが埋設されており、それぞれ固定ボルト７ａ，７ｄと螺合されて固定されている。予め摺動軸３ｂに複数の固定孔を穿設しておくことにより、摺動軸３ｂの取付位置を変更することができ、脚部３の長さを調整することができる。
また、延設部３ｇの長手方向には複数の雌ねじを形設しておくことにより、吊り輪吊設部３ｆの長さを調整することができ、吊り輪５ａ〜５ｃが懸下された水平横行部３ｉの前後方向の位置を変更することができる。
【００２５】
本実施の形態では、左右の支持部２ａを前後二箇所の基部連結部２ｂ，２ｂ’で連結して基部２を形成したが、基部連結部２ｂ，２ｂ’の数や取付位置は適宜、選択することができ、基部２の形状はロ字型以外に、コ字型やＨ字型など任意の形状に形成することができる。また、左右の支持部２ａを連結する基部連結部２ｂ，２ｂ’の長さを選択することにより、設置場所や利用者の体格などに応じて、左右の垂直ガイド軸３ａの間隔を変更することができ、多様性、形状自在性に優れる。尚、基部２は、着脱自在な基部連結部２ｂ，２ｂ’を用いず、一体に形成してもよい。
本実施の形態では、基部固定部８として重錘を用いたので、移動式立ち上がり補助具１の床面への固定工事を不要とすることができ、設置場所の床面を傷付けることがない。尚、必要に応じて、基部固定孔８ａを利用して支持部２ａを床面にねじ止めすることにより、基部２を強固に固定することができ、固定安定性を向上させることができる。基部固定孔８ａは基部連結部２ｂ’に設けてもよい。さらに、基部２の支持部２ａなどの底面にゴム板などの滑り止めを敷設してもよい。また、基部２には、ロック機構付きのキャスターを配設してもよい。組み立てられた状態で簡便に設置場所を移動させることができると共に、所望の場所に固定して利用することができ、搬送性、固定安定性に優れるためである。
尚、水や洗剤などによる錆の発生を防ぐために、基部２の表面に防錆剤を塗布したり、耐薬品性を有する合成樹脂製や合成ゴム製などの被覆材で基部２の表面を被覆したりしてもよい。
【００２６】
本実施の形態では、吊り輪吊設部３ｆを前後方向に伸縮自在な構造に形成した。これにより、設置面積や設置場所に据え付けられている便器、浴槽、ベッド、机その他の物品の形状や配置などに応じて、吊り輪５ａ〜５ｃの前後方向の取付位置を簡便に調整することができ、汎用性、設計自在性に優れる。尚、脚部３と吊り輪吊設部３ｆのなす角は、適宜、選択することができる。
尚、脚部３の摺動軸３ｂ，吊り輪吊設部３ｆの延設部３ｇと摺動部３ｈ，水平横行部３ｉは一体に形成してもよい。水平横行部３ｉに利用者の体重がかかっても変形し難く、耐久性に優れると共に、基部２や垂直ガイド軸３ａと分割して容易に持ち運ぶことができ、組立作業性、取り扱い性に優れるためである。尚、摺動軸３ｂと吊り輪吊設部３ｆの間を補強部材で連結することにより、剛性を向上させて変形や破損を防止することもできる。
【００２７】
以上のように構成された実施の形態１の移動式立ち上がり補助具の使用方法について説明する。
まず、高齢者や腰痛等の障害のある人がトイレ１０を使用する場合、水平横行部３ｉから懸下された移動式立ち上がり補助具１の吊り輪５ａ〜５ｃを掴んだり、腕を複数の吊り輪５ａ〜５ｃに通したりして体重を支持しながら便器１１の位置に移動して着座する。
このとき、複数の吊り輪５ａ〜５ｃが連結部６ａ，６ｂにより互いに屈曲できるように連結されているので、手で吊り輪５ａ〜５ｃを掴んだり、腕や肘、肩の部分などを吊り輪５ａ〜５ｃで有効に支持したりして安定した立ち上がり動作を行うことができる。
立ち上がる場合には、同様に吊り輪５ａ〜５ｃを用いて足腰等に傷害のある人でも容易に便器１１の位置から離れることができ、車椅子等に乗り移ることができる。
尚、吊り輪５ａ〜５ｃの数は本実施の形態に限定されるものではなく、任意の数を選択できる。また、本実施の形態では移動式立ち上がり補助具１をトイレ１０に設置した場合について説明したが、風呂場の浴槽や寝室のベッドなどの近傍に設置して同様に使用できる。
【００２８】
以上のように構成された実施の形態１における立ち上がり補助具によれば、以下の作用を有する。
（１）吊り輪５ａ〜５ｃを懸下するための吊下部４が挿通又は掛止される水平横行部３ｉが、吊り輪吊設部３ｆを介して連設された脚部３及び基部２によって支持されて床面に載置されるので、建造物の壁，梁，桁，柱等を利用する必要がなく、大掛かりな工事や改造が不要で、建造物自体に十分な強度がない仮設トイレや改造が不可能な賃貸住宅などのトイレ１０や風呂場等にも簡便に設置することができ、設置自在性、施工性、汎用性に優れる。
（２）構造が簡単で建築物と独立して組み立てることができるので、トイレ１０，浴室，寝室等の利用者の必要な場所に容易に吊り輪５ａ〜５ｃを設置したり、移動させたりして、簡便に利用することができ、しかも不要になった際には簡便に分解したり、移動させたりして撤去することができ、メンテナンス性、取り扱い性に優れる。
（３）水平横行部３ｉに吊り輪５ａ〜５ｃを懸下するための２本の吊下部４が挿通又は掛止され、吊下部４及び連結部６ａ，６ｂを介して複数の吊り輪５ａ〜５ｃを連結させ懸下させているので、とっさの場合でも手元近くに配置された吊り輪５ａ〜５ｃを容易に握ることができ、安全性に優れる。
（４）複数の吊り輪５ａ〜５ｃを連結部６ａ，６ｂを介して互いに屈曲自在に連結させて懸下させているので、手先が不自由な人や重度の病人であっても吊り輪５ａ〜５ｃを握って、また握力がないときは吊り輪５ａ〜５ｃを握ることなく、互いに屈曲された複数の吊り輪５ａ〜５ｃに腕や肘、肩等を通すことにより容易にバランスを取って安定した姿勢を保持することができ、安全性と利便性に優れる。
（５）２本の吊下部４を人間の肩幅程度の間隔で配置することにより、手足の弱った人でも身体の左右両側の吊り輪５ａ〜５ｃにすがって容易に立ち上がったり、座ったりすることができ、利用者を安全に介助することができる。
（６）設置場所の構造や広さなどに応じて各部の寸法、形状を選択することができ、設置自在性、形状自在性、組み立て作業性に優れる。
（７）脚部３が、基部２に立設された円筒状の垂直ガイド軸３ａと、垂直ガイド軸３ａに高さ調整自在に内挿された摺動軸３ｂと、を有するので、垂直ガイド軸３ａに対して摺動軸３ｂを上下方向に摺動させることによって脚部３の長さを調整して吊り輪５ａ〜５ｃの取り付け高さを選択することができ、汎用性に優れる。
（８）水平横行部３ｉで繋がれた吊り輪吊設部３ｆの摺動部３ｈが、各々の摺動軸３ｂの上端部に延設された延設部３ｇに固定ボルト７ｅで固定されているので、２本の摺動軸３ｂを同時に上下動させることができ、水平横行部３ｉが傾くことがなく、高さ調整作業を簡便かつ確実に行うことができ、施工性に優れる。
（９）基部２が、各々の垂直ガイド軸３ａが立設された左右の支持部２ａと、左右の支持部２ａの間を着脱自在に連結する基部連結部２ｂ，２ｂ’を有するので、基部連結部２ｂ，２ｂ’を着脱するだけで、簡便に基部２を組立てたり、左右に分割したりすることができ、設置や撤去、運搬などの作業が容易で、施工性、取扱い性に優れる。
（１０）基部２の左右の支持部２ａと脚部３の間を連結する手摺部３ｃを有することにより、使用者が吊り輪５ａ〜５ｃを掴む前に手摺部３ｃを支えにして立ち上がったり、手を延ばしたりして、確実に吊り輪５ａ〜５ｃを掴むことができ、使用者の転倒を防止することができ、安全性、使用性に優れる。
（１１）基部２の左右の支持部２ａと脚部３の垂直ガイド軸３ａの間を連結する手摺部３ｃによって、脚部３を補強することができ、脚部３の傾きや変形などを防止することができ、堅牢性、耐久性に優れる。
（１２）２本の垂直ガイド軸３ａの間を着脱自在に連結する水平補強部３ｄを有することにより、耐荷重を向上させて、脚部３の傾きや変形などを防止することができ、堅牢性、耐久性に優れる。
（１３）吊り輪吊設部３ｆが、摺動軸３ｂの上端部から前方に延設された延設部３ｇと、延設部３ｇに摺動自在に配設された摺動部３ｈを有することにより、吊り輪吊設部３ｆを前後方向に伸縮させて水平横行部３ｉの位置を調整することができ、設置面積や設置場所に据え付けられている便器１１、浴槽、ベッド、机その他の物品の形状や配置などに応じて、吊り輪５ａ〜５ｃの前後方向の取付位置を簡便に変更することができ、汎用性、設計自在性に優れる。
（１４）基部２の基部連結部２ｂ’を基部固定部８で固定することにより、移動式立ち上がり補助具１が前方へ倒れるのを確実に防止でき、固定安定性、安全性に優れる。
【産業上の利用可能性】
【００２９】
本考案は、利用者の必要な場所に容易に吊り輪を設置したり、移動させたりして、簡便に利用することができ、汎用性、取扱い性に優れ、また、建造物の壁，梁，桁，柱等を利用する必要がなく、大掛かりな工事や改造が不要で、建造物自体に十分な強度がない仮設トイレや改造が不可能な賃貸住宅などのトイレや風呂場等にも簡便に設置することができると共に、不要になった際には簡便に撤去することができ、組立て、分解作業が容易で、汎用性、施工性、設置自在性に優れる移動式立ち上がり補助具を提供して各種の建築物や施設等で好適に使用することができる。
【図面の簡単な説明】
【００３０】
【図１】実施の形態１における移動式立ち上がり補助具の斜視図
【図２】実施の形態１における移動式立ち上がり補助具の設置状態の正面図
【図３】実施の形態１における移動式立ち上がり補助具の設置状態の側面図
【符号の説明】
【００３１】
１  移動式立ち上がり補助具
２  基部
２ａ  支持部
２ｂ，２ｂ’  基部連結部
３  脚部
３ａ  垂直ガイド軸
３ｂ  摺動軸
３ｃ  脚部補強部
３ｄ  水平補強部
３ｅ  摺動軸補強部
３ｆ  吊り輪吊設部
３ｇ  延設部
３ｈ  摺動部
３ｉ  水平横行部
４  吊下部
５ａ，５ｂ，５ｃ  吊り輪
６ａ，６ｂ  連結部
７ａ，７ｂ，７ｄ，７ｅ  固定ボルト
７ｃ  固定ナット
８  基部固定部
８ａ  基部固定孔
１０  トイレ
１１  便器
１１ａ水洗タンク
【図１】
0003136449.tif 000003
【図２】
0003136449.tif 000004
【図３】
0003136449.tif 000005